(57)【要約】【課題】見返しを介して本文と表紙本体を製本する場合に、接着層に水溶性糊を用いても本文に波うちが発生しない上製本を提供することを目的とする。【解決手段】上製本１０は、本文２０と見返し本体３０と表紙本体４０とを備える。本文２０は、複数の紙片を有する。見返し本体３０は、表部３１と、裏部３２とを含む。表部３１と裏部３２は、外面に防水層３３が形成されている。見返し本体３０は、本文２０に固定されている。表紙本体４０は、表表紙４１と、裏表紙４２とを含む。表紙４０は、表表紙４１の内面が表部３１の防水層３３に配置され、裏表紙４２の内面が裏部３２の防水層３３に配置されるように、接着層３４を介して見返し本体３０に貼り合されている。【選択図】図１
2018075780.tif 000002
【特許請求の範囲】
【請求項１】
複数の紙片を有する本文と、
外面に防水層が形成された表部及び裏部を有し、前記本文に固定された見返し本体と、
表表紙と裏表紙とを有し、前記表表紙の内面が前記表部の前記防水層の上に配置され、前記裏表紙の内面が前記裏部の防水層の上に配置されるように、前記見返し本体に接着層を介して貼り合された表紙本体とを備えた、上製本。
【請求項２】
前記見返し本体は、前記表部と前記裏部とを接続し、前記本文の背面に固定される背部を更に有し、
前記表紙本体は、前記表表紙と前記裏表紙とを接続し、前記背部に固定される背表紙を更に有する、請求項１に記載の上製本。
【請求項３】
前記見返し本体は、前記表部とその表部に接続された表遊び紙片とを有する表見返し片と、前記裏部とその裏部に接続された裏遊び紙とを有する裏見返し片とを含み、
前記本文は、表面と裏面に、背面に沿って所定の幅に形成された第２接着層を含み、
前記表遊び紙片及び前記裏遊び紙片は、前記表部及び前記裏部との接続部分が前記本文の背面に沿うように、前記第２接着層を介して前記本文に貼り合された、請求項１に記載の上製本。
【請求項４】
複数の紙片を用いて本文を作成する本文作成工程と、
見返し本体の表部及び裏部の外面に防水層を形成する防水層形成工程と、
前記見返し本体を前記本文に固定する固定工程と、
前記見返し本体の外面に接着層を形成する接着層形成工程と、
表表紙と裏表紙とを有する表紙本体を、前記表表紙の内面が前記表部の前記防水層の上に配置され、前記裏表紙の内面が前記裏部の前記防水層の上に配置されるように、前記接着層を介して前記見返し本体に貼り合せる貼り合せ工程とを備えた、上製本の製造方法。
【発明の詳細な説明】
【技術分野】
【０００１】
この発明は、上製本に関し、特に見返しを貼り付けることによって本文に表紙を取り付けた上製本、及びその製造方法に関する。
【背景技術】
【０００２】
製本の様式から本を分類すると、大きく分けて並製本（ペーパーバック）と上製本（ハードカバー）に分類される。並製本は、中綴じ、平綴じ、無線綴じ等の綴じ方がある。中綴じ・平綴じは針金等で綴じられたもので、週刊誌・雑誌・パンフレット等の比較的頁数が少ない場合に用いられる。無線綴じはホットメルト等で綴じられたもので、週刊誌・雑誌・カタログ等の比較的頁数が多い場合に用いられる。並製本は、本文と表紙を貼り合せてから、本文と表紙が同寸になるように、背以外の３方（小口、天、地）を一度に断裁して製造される。
【０００３】
上製本は、丸背上製本、角背上製本、中ミシン上製本、ビニール製本等の種類がある。丸背上製本は、背が丸くなったもので、年史・豪華本・辞書等、頁数が多く豪華で開きを良くする場合に用いられる。角背上製本は、背が平らなもので、写真集・豪華な図録等、頁数は様々だが強度を求められる場合に用いられる。中ミシン上製本は、本文の見開き中央をミシン糸で縫ったもので、児童書・絵本等、頁数は少ないが強度を重視する場合に用いられる。ビニール表紙は、辞書等、頁数が多く開きを良くしたい場合に用いられる。
【０００４】
上製本は、表紙の表表紙及び裏表紙の内面と本文の表面とを、見返しを介在させて、水溶性糊や合成接着剤などの接着剤を用いて貼り合せて製本される。
【先行技術文献】
【特許文献】
【０００５】
【特許文献１】特開２００４−００１４５１
【発明の概要】
【発明が解決しようとする課題】
【０００６】
しかし、従来の上製本では、表紙と見返しを貼り合せるために主に水溶性糊を用いるので、その水溶性糊からの水分が見返しと本文に浸透してしまい、製本後本文に波うちが発生するという問題があった。
【０００７】
波うちの発生を防ぐために、製本後、表紙と見返しの間に紙にフィルムを貼った捨て紙を人の手で挿入し、出荷前に人の手で捨て紙を抜くという作業を行うことが考えられる。しかし、人力による作業が多くなるという問題がある。さらに、乾燥させてからでなければ捨て紙を抜くことができないため、時間がかかる、乾燥時間を予測できない等の問題がある。
【０００８】
本発明の目的は、見返しを介して本文と表紙本体を製本する場合に、接着層に水溶性糊を用いても本文に波うちが発生しない上製本を提供することである。
【課題を解決するための手段】
【０００９】
上記の目的を達成するために、第１の発明は、複数の紙片を有する本文と、外面に防水層が形成された表部及び裏部を有し、本文に固定された見返し本体と、表表紙と裏表紙とを有し、表表紙の内面が表部の防水層の上に配置され、裏表紙の内面が裏部の防水層の上に配置されるように、見返し本体に接着層を介して貼り合された表紙本体とを備えた、上製本である。
【００１０】
第２の発明は、第１発明において、見返し本体は、表部と裏部とを接続し、本文の背面に固定される背部を更に有し、表紙本体は、表表紙と裏表紙とを接続し、背部に固定される背表紙を更に有する、上製本である。
【００１１】
このように構成すると、防水層があることにより接着層の水分が見返し本体と本文に浸透しないので、本文に波うちが発生しない。
【００１２】
第３の発明は、第１の発明において、見返し本体は、表部とその表部に接続された表遊び紙片とを有する表見返し片と、裏部とその裏部に接続された裏遊び紙とを有する裏見返し片とを含み、本文は、表面と裏面に、背面に沿って所定の幅に形成された第２接着層を含み、表遊び紙片及び裏遊び紙片は、表部及び裏部との接続部分が本文の背面に沿うように、第２接着層を介して本文に貼り合された、上製本である。
である。
【００１３】
このようにすると、見返し片２枚を用いて本文を表紙本体に固定するため、本文への波うちの発生を抑制しながら、本文を表紙本体に強固に固定することができる。
【００１４】
第４の発明は、複数の紙片を用いて本文を作成する本文作成工程と、見返し本体の表部及び裏部の外面に防水層を形成する防水層形成工程と、見返し本体を本文に固定する固定工程と、見返し本体の外面に接着層を形成する接着層形成工程と、表表紙と裏表紙とを有する表紙本体を、表表紙の内面が表部の防水層の上に配置され、裏表紙の内面が裏部の防水層の上に配置されるように、接着層を介して見返し本体に貼り合せる貼り合せ工程とを備えた、上製本の製造方法である。
【発明の効果】
【００１５】
この発明によれば、見返し本体を介して本文と表紙本体を製本する場合に、接着層に水溶性糊を用いても本文に波うちが発生しない上製本を提供することができる。
【図面の簡単な説明】
【００１６】
【図１】本発明の第１実施形態による上製本の斜視図である。
【図２】本発明の第１実施形態による上製本の組立を示す工程図である。
【図３】本発明の他の第１実施形態による上製本の組立を示す工程図である。
【図４】本発明の第２実施形態による本の斜視図である。
【図５】本発明の第２実施形態による本の組立を示す工程図である。
【発明を実施するための形態】
【００１７】
次に、発明の実施の形態について、図を参照しながら説明する。
＜第１実施形態＞
【００１８】
図１と図２を参照して、本発明の第１実施形態に係る上製本１０は、本文２０と見返し本体３０と表紙本体４０とを備えている。本文２０は、複数の紙片を有する。見返し本体３０は、表部３１と、裏部３２とを含む。表部３１と裏部３２は、外面に防水層３３が形成されている。見返し本体３０は、本文２０に固定されている。表紙本体４０は、表表紙４１と、裏表紙４２と、表表紙４１と裏表紙４２とを接続する背表紙４３とを含む。表紙本体４０は、表表紙４１の内面が表部３１の防水層３３の上に配置され、裏表紙４２の内面が裏部３２の防水層３３の上に配置されるように、接着層３４を介して見返し本体３０に貼り合されている。
【００１９】
本文２０は、表紙本体４０の内面に配置される印刷物であり、複数の紙片を有する。見返し本体３０は１枚の紙であり、表部３１と、裏部３２と、表部３１と裏部３２とを接続する背部３５とを含む。表部３１及び裏部３２の寸法は、本文２０の表面２１及び裏面２２とほぼ同一に形成されている。見返し本体３０としては、上質紙や特殊紙など、本文２０に用いられる紙よりも厚く、意匠性のあるものを使用することができる。
【００２０】
表部３１及び裏部３２の外面、すなわち表紙本体４０に貼り合される面に防水層３３が形成されている。防水層３３は、見返し本体３０に樹脂コーティングを施したり、フィルムを貼り付けたりすることで形成される。防水層３３の材料は、水分を通さず、糊との接着性が良い合成樹脂であれば特に限定されないが、ポリプロピレン、ポリエチレンテレフタラート、ポリ塩化ビニルなどを用いることが好ましい。防水層３３の厚みは、１３μｍ〜１５μｍが好ましい。尚、防水層３３は、見返し本体３０の背部３５に形成されても、形成されていなくてもよい。
【００２１】
接着層３４は防水層３３の上に形成される。接着層３４は見返し本体３０と表紙４０を貼り合せるためのものである。接着層３４の材料は、でんぷん糊、水溶性合成樹脂糊、ニカワ、サイビノールなどを用いることができる。接着層３４は、例えば見返し本体３０の防水層３３の上にローラや刷毛などを用いて塗布することによって形成される。
【００２２】
表紙本体４０は、表表紙４１と裏表紙４２と、表表紙と裏表紙とを連結する背表紙４３を含む。表紙本体４０には、ボール紙等の腰のある部材で補強された上製本用の表紙が用いられる。表紙本体４０としては、厚紙や板紙に紙、布、革等を貼り合わせたもの、まる表紙、継ぎ表紙、角丸表紙を含む厚表紙や、無双表紙、溝切り表紙、たれ革表紙を含む薄表紙、あるいは、表紙や芯紙に綿やウレタンなどのクッション性材料が入れられたもの等、従来の上製本に用いられている表紙を全て用いることができる。
【００２３】
第１実施形態に係る上製本１０を製造する方法を説明する。まず、複数の紙片から構成される本文２０を準備する。次に、見返し本体３０の表部３１及び裏部３２の外面に防水層３３を形成する。見返し本体３０の外面とは、表紙本体４０と貼り合される面のことである。次に、見返し本体３０の背部３５と本文２０の背２３とが対応するように、見返し本体３０を本文２０に固定する。固定する方法としては、例えば、本文２０と見返し本体３０の中央をミシン糸で縫うことによって綴じる中ミシン綴じがある。あるいは、無線綴じにより本文２０の背と見返し本体３０の背部を接着剤により接着することで、本文２０と見返し本体３０を綴じる方法がある。そして、綴じられた後、三方断裁する。尚、本文２０と見返し本体３０を綴じる方式はミシン綴じや無線綴じに限らず、例えば、糸綴じ、中綴じや平綴じなどの針金綴じ等の方式を用いてもよい。
【００２４】
次に、見返し本体３０の防水層３３の上に接着層３４を形成する。接着層３４を形成する方法としては、例えば刷毛やロールで塗布する方法がある。その後、表表紙４１の内面と見返し本体３０の表部３１の防水層３３とを対応させ、裏表紙４２と見返し本体３０の裏部３２の防水層３３と対応させて、見返し本体３０とを表紙本体４０とを貼り合せる。貼り合せ工程後、整形することで、上製本１０が完成する。
【００２５】
第１実施形態に係る上製本１０は、見返し本体３０の表部３１及び裏部３２の外面に防水層３３が形成されているので、見返し本体３０と表紙本体４０とを貼り付けるための接着層３４に含まれる水分が防水層３３によって遮断され、見返し本体３０の表部３１及び裏部３２、更に本文２０に水分が浸透しない。そのため、本文に波うちが起こることがない本を提供することができる。
【００２６】
また、防水層３３は見返し本体３０の外面、すなわち表紙本体４０と貼り合される面に形成されているため、防水層３３は本を開いた時に読者の手に触れることはない。したがって、本来の見返し本体３０が持つ風合いを損なうことなく、本文に波うちが起こるのを防ぐことができる。
【００２７】
尚、第１実施形態では、見返し本体３０は１枚であったが、図３のように、本文２０と見返し本体３０の間に第２見返し本体５０をもう１枚配置してもよい。図３では第２見返し本体５０に防水層は形成されていないが、第２見返し本体５０の内面、外面のどちらか一方あるいは両方に防水層が形成されていてもよい。このように第２見返し本体５０を配置することで、本を開いた時に本文２０が第２見返し本体５０によって隠される。そのため、本文への波うち発生を抑制しながら、高級感のある上製本にすることができる。
＜第２実施形態＞
【００２８】
図４と図５を参照して、本発明の第２実施形態に係る上製本１００について、第１実施形態に係る上製本との相違点のみを説明する。第２実施形態に係る上製本１００は、本文２００と、表見返し片３１０と裏見返し片３２０とを有する見返し本体３００と、表紙本体４００とを備えている。本文２００は、表面２１０と、裏面２２０と、背２３０とを含む。表見返し片３１０は、表部３１１とその表部３１１に接続された表遊び紙片３１２とを含む。裏見返し片３２０は、裏部３２１と裏遊び紙片３２２を含む。表紙本体４００は、表表紙４０１と裏表紙４０２と、表表紙４０１と裏表紙４０２とを連結する背表紙４０３とを含む。
【００２９】
本文２００は、表面２１０と裏面２２０に、背２３０に沿って所定の幅に形成された第２接着層２０１を有する。表見返し片３１０は、表部３１１の外面に形成された表防水層３１３と、表防水層３１３の上に形成された表接着層３１４とを有する。本文２００と表見返し片３１０は、第２接着層２０１によって貼り合される。表表紙４０１と表見返し片３１０は、表接着層３１４によって貼り合される。同様に、裏見返し片３２０は、裏部３２１の外面に形成された裏防水層３２３と、裏防水層３２３の上に形成された裏接着層３２４とを有する。本文２００と裏見返し片３２０は、第２接着層２０１によって貼り合される。裏表紙４０２と裏見返し片３２０は、裏接着層３２４によって貼り合される。
【００３０】
表見返し片３１０は、１枚の紙を二つ折りにしたものであり、表表紙４０１に貼り合される方が表部３１１、本文２００と貼り合される方が表遊び紙片３１２である。同様に、裏見返し片３２０も１枚の紙を二つ折りにしたものであり、裏表紙４０２に貼り合される方が裏部３２１、本文と貼り合される方が裏遊び紙片３２２である。表部３１１と表遊び紙片３１２は、本文２００の表面２１０とほぼ同一の寸法である。裏部３２１と裏遊び紙片３２２は、本文２００の裏面２２０とほぼ同一の寸法である
【００３１】
第２接着層２０１は、本文２００の表面２１０及び裏面２２０に、背２３０に沿って２ｍｍ〜５ｍｍの幅に形成される。第２接着層２０１の材料としては、でんぷん糊、水溶性合成樹脂糊、ニカワ、サイビノールなどを用いることができる。
【００３２】
第２実施形態に係る上製本１００の製造方法を説明する。まず、複数の紙片を有する本文２００を準備する。次に、表見返し片３１０を谷折りにして、表部３１１と表遊び紙片３１２を形成する。同様に、裏見返し片３２０を谷折りにして、裏部３２１と裏遊び紙片３２２を形成する。表部３１１の外面に表防水層３１３を形成し、裏部３２１の外面に裏防水層３２３を形成する。本文２００の表面２１０及び裏面２２０の背側３ｍｍ程度に接着剤を塗布し、第２接着層２０１を形成する。表見返し片３１０の谷折り線と本文２００の背２３０が揃うように、表遊び紙片３１２を表面２１０に貼り合せる。同様に、裏見返し片３２０の谷折り線と本文２００の背２３０が揃うように、裏遊び紙片３２２を裏面２２０に貼り合せる。
【００３３】
次に、表見返し片３１０の表防水層３１３の上に、表接着層３１４を形成する。同様に、裏見返し片の裏防水層３２３の上に、裏接着層３２４を形成する。背表紙４０３が本文２００の背と重なるように、表見返し片３１０と本文２００と裏見返し片３２０を表紙本体４００でくるみ、表表紙４０１と表接着層３１４とを貼り合せ、裏表紙４０２と裏接着層３２４とを貼り合せる。その後に整形することで、上製本１００が完成する。
【００３４】
第２実施形態に係る上製本１００は、表見返し片３１０の表部３１１の外面に表防水層３１４が形成され、裏見返し片３２０の裏部３２１の外面に裏防水層３２４が形成されているので、表接着層３１４、裏接着層３２４に含まれる水分が表防水層３１３と裏防水層３２３によって遮断され、見返し本体の表部３１１、表見返し片３１２、裏部３２１、裏見返し片３２２、更に本文２００に水分が浸透しない。そのため、本文に波うちが起こることがない上製本を提供することができる。
【００３５】
尚、第２実施形態では、表見返し片３１０の表部３１１と裏見返し片３２０の裏部３２１に防水層が形成されていたが、表遊び紙片３１２と裏遊び紙片３２２の外面に防水層を形成してもよい。このようにすると、１枚の見返し片全面に防水層を形成するので生産性が向上する。
【符号の説明】
【００３６】
１０、１００  上製本
２０、２００  本文
２０１  第２接着層
２１、２０１  表面
３０、３００  見返し本体
３１、３１１  表部
３２、３２２  裏部
３３  防水層
３４  接着層
３１０  表見返し片
３１２  表遊び紙片
３１３  表防水層
３１４  表接着層
３２０  裏見返し片
３２２  裏遊び紙片
３２３  裏防水層
３２４  裏接着層
４０、４００  表紙本体
４１、４０１  表表紙
４２、４０２  裏表紙
４３  ４０３  背表紙
【図１】
2018075780.tif 000003
【図２】
2018075780.tif 000004
【図３】
2018075780.tif 000005
【図４】
2018075780.tif 000006
【図５】
2018075780.tif 000007